(57)【要約】【課題】装置自体の大型化を抑えつつコイルアンテナから出力される電波の強度を高めることができるスイッチ装置を提供する。【解決手段】本発明に係るスイッチ装置１０は、前後方向に延在した筒状の保持ケース１８内に配設された回路基板１４と、前後方向に移動可能に配設された状態で外部から押圧操作される操作ボタン３４と、回路基板１４に設けられて押圧操作による操作ボタン３４の後方への移動によって操作されるスイッチ手段と、を備え、コイルアンテナ１９４は、操作ボタン３４の後方に配置されると共に操作ボタン３４の外径と略同一の外径を有している。【選択図】図５
2014154469.tif 000002
【特許請求の範囲】
【請求項１】
前後方向に延在した筒状のケースと、
前記ケース内に配設された回路基板と、
前記前後方向に移動可能に配設された状態で外部から押圧操作される操作ボタンと、
前記回路基板に設けられて押圧操作による前記操作ボタンの後方への移動によって操作されるスイッチ手段と、
前記回路基板に電気的に接続されて外部の携帯機を駆動させるための電波を出力するコイルアンテナと、
を備え、
前記コイルアンテナは、前記操作ボタンの後方に配置されると共に当該操作ボタンの外径と略同一の外径を有している、
ことを特徴とするスイッチ装置。
【請求項２】
請求項１記載のスイッチ装置において、
前記操作ボタンと前記コイルアンテナとが同軸上に配置されている、
ことを特徴とするスイッチ装置。
【請求項３】
請求項１又は２に記載のスイッチ装置において、
前端部に前記操作ボタンが設けられると共に前記スイッチ手段を操作可能な状態で前記ケース内に前記前後方向に沿って摺動可能に配設されたスライダを備える、
ことを特徴とするスイッチ装置。
【請求項４】
請求項３記載のスイッチ装置において、
前記回路基板は、当該回路基板の実装面が前方に指向するように配設され、
前記スイッチ手段は、前記実装面に設けられた弾性変形可能な接点部を有している、
ことを特徴とするスイッチ装置。
【請求項５】
請求項４記載のスイッチ装置において、
前記ケースには、前記スライダの後端面が接触することにより当該スライダの後方への移動を制限する移動制限部が形成されている、
ことを特徴とするスイッチ装置。
【請求項６】
請求項４又は５に記載のスイッチ装置において、
前記コイルアンテナと、当該コイルアンテナを支持して前記回路基板の前面に配設されたボビンとを有するアンテナ部をさらに備える、
ことを特徴とするスイッチ装置。
【請求項７】
請求項４〜６のいずれか１項に記載のスイッチ装置において、
前記回路基板の前記実装面には、前記操作ボタンを照明する複数の発光素子が設けられている、
ことを特徴とするスイッチ装置。
【請求項８】
請求項７記載のスイッチ装置において、
前記スライダには、各前記発光素子から出力された光を前記操作ボタンに導くための複数の導光部が設けられている、
ことを特徴とするスイッチ装置。
【発明の詳細な説明】
【技術分野】
【０００１】
本発明は、外部の携帯機を駆動させるための電波を出力するコイルアンテナを備えたスイッチ装置に関する。
【背景技術】
【０００２】
近年、携帯機と車両との間で通信してＩＤ情報が一致した場合に、車両が備えるエンジンスタータスイッチ（スイッチ装置）の操作ボタンを押圧操作することによって、エンジンを始動可能な状態にするスマートイグニッションシステムが利用されている。
【０００３】
通常、この種のスイッチ装置には、携帯機の電池消耗によって車両との間でＩＤ情報の照合が正常に行われなくなった場合に、操作ボタンの近傍にかざした携帯機のトランスポンダに誘導起電力を発生させて無線給電するコイルアンテナが設けられている。
【０００４】
例えば、特許文献１には、操作ボタンの内部又は後方に配置されると共に当該操作ボタンの外径よりも小さい外径を有するコイルアンテナを備えたスイッチ装置が提案されている。
【先行技術文献】
【特許文献】
【０００５】
【特許文献１】特開２０１１−６０６２６号公報
【発明の概要】
【発明が解決しようとする課題】
【０００６】
しかしながら、上述した特許文献１のような従来技術では、コイルアンテナの外径が操作ボタンの外径よりも小さく形成されているので、スイッチ装置がコイルアンテナの径方向に大型化することを抑えることができるが、コイルアンテナから出力される電波の強度が低下してしまうことがある。そうすると、携帯機を効率的に無線給電することができないおそれがある。
【０００７】
本発明は、このような課題を考慮してなされたものであり、装置自体の大型化を抑えつつコイルアンテナから出力される電波の強度を高めることができるスイッチ装置を提供することを目的とする。
【課題を解決するための手段】
【０００８】
［１］  本発明に係るスイッチ装置は、前後方向に延在した筒状のケースと、前記ケース内に配設された回路基板と、前記前後方向に移動可能に配設された状態で外部から押圧操作される操作ボタンと、前記回路基板に設けられて押圧操作による前記操作ボタンの後方への移動によって操作されるスイッチ手段と、前記回路基板に電気的に接続されて外部の携帯機を駆動させるための電波を出力するコイルアンテナと、を備え、前記コイルアンテナは、前記操作ボタンの後方に配置されると共に当該操作ボタンの外径と略同一の外径を有している、ことを特徴とする。
【０００９】
本発明に係るスイッチ装置によれば、操作ボタンの後方に配置されると共に当該操作ボタンの外径と略同一の外径を有したコイルアンテナを備えているので、装置自体の大型化を抑えつつコイルアンテナから出力される電波の強度を高めることができる。また、操作ボタンの外径とコイルアンテナの外径を略同一にすると、スイッチ装置を寸胴に形成することが容易となり、これによって、各種部品のレイアウトの自由度が向上する。
【００１０】
［２］  上記のスイッチ装置において、前記操作ボタンと前記コイルアンテナとが同軸上に配置されていてもよい。
【００１１】
このような構成によれば、操作ボタンとコイルアンテナとを同軸上に配置しているので、スイッチ装置の大型化を効率的に抑えることができる。
【００１２】
［３］  上記のスイッチ装置において、前端部に前記操作ボタンが設けられると共に前記スイッチ手段を操作可能な状態で前記ケース内に前記前後方向に沿って摺動可能に配設されたスライダを備えていてもよい。
【００１３】
このような構成によれば、操作ボタンの押圧操作によるスライダの後方への移動によってスイッチ手段を確実に操作することができる。
【００１４】
［４］  上記のスイッチ装置において、前記回路基板は、当該回路基板の実装面が前方に指向するように配設され、前記スイッチ手段は、前記実装面に設けられた弾性変形可能な接点部を有していてもよい。
【００１５】
このような構成によれば、回路基板の実装面に弾性変形する接点部を設けているので、操作ボタンの押圧操作によるスライダの後方への移動によって接点部を弾性変形させてスイッチ手段を操作することができる。そして、操作ボタンの押圧を解除した際には、前記接点部が元の形状に復帰すると共に当該接点部の弾性力によってスライダ及び操作ボタンをケースに対して前方に移動させることができる。これにより、スイッチ手段とは別にスライダを前方に付勢する付勢手段を設ける必要がないため、スイッチ装置の部品点数を削減することができる。
【００１６】
［５］  上記のスイッチ装置において、前記ケースには、前記スライダの後端面が接触することにより当該スライダの後方への移動を制限する移動制限部が形成されていてもよい。
【００１７】
このような構成によれば、スライダの後端面が接触することにより当該スライダの後方への移動を制限する移動制限部をケースに形成しているので、操作ボタンの押圧力が比較的大きい場合であっても、接点部に過剰な力が作用することを防止することができる。よって、回路基板が破損することを抑えることができる。
【００１８】
［６］  上記のスイッチ装置において、前記コイルアンテナと、当該コイルアンテナを支持して前記回路基板の前面に配設されたボビンとを有するアンテナ部をさらに備えていてもよい。
【００１９】
このような構成によれば、ボビンを回路基板の前面に配設しているので、コイルアンテナと回路基板との間の距離を比較的短くすることができる。これにより、アンテナ部の構成を簡素化することができると共に当該アンテナ部の組み付けが容易となる。
【００２０】
［７］  上記のスイッチ装置において、前記回路基板の前記実装面には、前記操作ボタンを照明する複数の発光素子が設けられていてもよい。
【００２１】
このような構成によれば、回路基板の実装面に複数の発光素子を設けているので、操作ボタンの意匠性及び視認性を向上することができる。また、回路基板は、その実装面が前方に指向するように配設されているので、このような複数の発光素子を容易に配置することができる。
【００２２】
［８］  上記のスイッチ装置において、前記スライダには、各前記発光素子から出力された光を前記操作ボタンに導くための複数の導光部が設けられていてもよい。
【００２３】
このような構成によれば、各発光素子から出力された光を操作ボタンに導く複数の導光部を設けているので、操作ボタンの意匠性及び視認性を一層向上することができる。また、これら導光部をスライダに設けているので、操作ボタン及びスライダが前後方向に沿ってケースに対して移動する際に当該導光部と干渉することを防止することができる。
【発明の効果】
【００２４】
本発明によれば、操作ボタンの後方に配置されると共に当該操作ボタンの外径と略同一の外径を有したコイルアンテナを備えているので、装置自体の大型化を抑えつつコイルアンテナから出力される電波の強度を高めることができる。
【図面の簡単な説明】
【００２５】
【図１】本発明の一実施形態に係るスイッチ装置の斜視図である。
【図２】前記スイッチ装置の分解斜視図である。
【図３】図２に示すベース部、回路基板、カバー部の拡大斜視図である。
【図４】図１のＩＶ−ＩＶ線に沿った断面図である。
【図５】図１のＶ−Ｖ線に沿った断面図である。
【図６】前記スイッチ装置の底面図である。
【図７】前記スイッチ装置の側面図である。
【図８】図１に示すスイッチ装置の一部断面斜視図である。
【図９】変形例に係るスイッチ装置の一部断面斜視図である。
【発明を実施するための形態】
【００２６】
以下、本発明に係るスイッチ装置について、好適な実施形態を例示して添付の図面を参照しながら詳細に説明する。
【００２７】
本実施形態に係るスイッチ装置１０は、例えば、車両のインストルメントパネルに装着されるものであって、携帯機と車両との間で通信してＩＤ情報が一致した場合に、当該スイッチ装置１０の操作ボタン３４を押圧操作することによって、エンジンを始動可能な状態にするためのエンジンスタータスイッチとして構成されている。なお、以下の説明では、図１におけるスイッチ装置１０の上側（操作ボタン３４側）を「前方」、スイッチ装置１０の下側（ベース部１２側）を「後方」と呼んで説明する。
【００２８】
図１〜図５に示すように、スイッチ装置１０は、スイッチ装置１０の後端部を構成するベース部１２と、ベース部１２に設けられた回路基板１４と、回路基板１４の前面を覆うカバー部１６と、前後方向に延在して後端部にベース部１２が装着された筒状の保持ケース１８と、保持ケース１８内に配設されたアンテナ部２０と、保持ケース１８内に前後方向に沿って摺動可能に設けられたスライダ２２と、スライダ２２に支持された第１〜第４導光部２４、２６、２８、３０と、スライダ２２の前面に配設された円形状のフィルム３２と、前後方向に移動可能に配設された状態で外部から押圧操作される透明な操作ボタン３４と、保持ケース１８の前端部に装着されてスライダ２２の前端部及び操作ボタン３４を囲繞するアウターケース３６とを備えている。
【００２９】
ベース部１２は、前後方向に延在して図示しないコネクタが装着される筒状のコネクタ装着部３８と、回路基板１４に電気的に接続されたターミナル４０を支持するターミナル支持部４２とを有している。
【００３０】
コネクタ装着部３８は、前記コネクタの形状に対応した形状を有しており、例えば、四角筒状に構成されている（図６参照）。ターミナル４０は、複数の細い金属棒を屈曲させて形成されている。
【００３１】
図３から諒解されるように、ターミナル支持部４２は、平面視で、矩形の各短辺を円弧状に外方に突出させると共に、円弧状の一端部に一対の切欠部４４、４６を幅方向（前記矩形の長辺と直交する方向）に対称に形成したような形状をなしている。
【００３２】
ターミナル支持部４２は、コネクタ装着部３８の前端に一体的に設けられてターミナル支持部４２の平面形状と対応した平面形状を有した平板部４８と、平板部４８の各側部から前後方向に立設した一対の側壁５０、５２と、平板部４８の一端部の幅方向中央から前後方向に立設した中央円弧壁５４と、平板部４８の円弧状の他端部から前後方向に立設した円弧壁５６とを有している。
【００３３】
平板部４８の前面には、回路基板１４を支持する一対のブッシュ６０、６２が平板部４８の幅方向に並設されている。各側壁５０、５２の外側面には、ベース部１２を保持ケース１８の所定位置に位置決めするための位置決め用突起６４が設けられている。中央円弧壁５４の外周面には、ベース部１２を保持ケース１８に装着するための装着爪６８が設けられており、円弧壁５６の外周面には、装着爪６８と同じ形状の一対の装着爪７０、７２が設けられている（図７参照）。円弧壁５６の前面には、前方に向けて突出した凸部７４が形成されている。
【００３４】
回路基板１４は、その実装面が前方に指向するように保持ケース１８内に配設されている。具体的には、回路基板１４は、平面視で、矩形の各短辺を外方に突出させると共に、円弧状の一端部と各長辺との境界部が切り欠かれた形状をなしており、ベース部１２に装着された状態で、平板部４８との間に所定の隙間Ｓが形成される（図４参照）。
【００３５】
回路基板１４の一端部には、アンテナ部２０を構成する後述するアンテナターミナル１９０が挿通する一対の第１挿通孔７６、７８が形成されている。第１挿通孔７６はベース部１２の切欠部４４に連通しており、第１挿通孔７８はベース部１２の切欠部４６に連通している。
【００３６】
これにより、前記アンテナターミナル１９０を回路基板１４の前方側から各第１挿通孔７６、７８に通し、回路基板１４の後方側から当該アンテナターミナル１９０を半田付けすることができる（図６参照）。よって、アンテナ部２０を保持ケース１８内に配設した後で、アンテナ部２０のアンテナターミナル１９０と回路基板１４とを電気的に接続することが可能となるので、スイッチ装置１０を容易に組み立てることができる。
【００３７】
回路基板１４には、ターミナル４０が挿通する複数の第２挿通孔８０が形成されている。本実施形態では、回路基板１４の後方側からターミナル４０を各第２挿通孔８０に通し、回路基板１４の前方側から半田付けすることにより、ターミナル４０が回路基板１４に電気的に接続されている。
【００３８】
回路基板１４の円弧状の他端部には、外方に向けて突出した一対の突起８２、８４が形成されている。突起８２と突起８４の間にはターミナル支持部４２の凸部７４が挿入される。これにより、回路基板１４がベース部１２に対して位置決めされる。
【００３９】
回路基板１４の前面（実装面）には、前方に向けて発光する複数（本実施形態では５つ）の発光素子８６、８８、９０、９２、９４と、一対の固定接点９６、９８とが設けられている。複数の発光素子８６、８８、９０、９２、９４は、回路基板１４の長手方向に沿って配列されている。各発光素子８６、８８、９０、９２、９４としては、例えば、ＬＥＤを用いることができるが、これに限定されない。本実施形態において、各発光素子８６、８８、９０、９２、９４は、互いに異なる波長（色）の光を出力する。ただし、複数の発光素子８６、８８、９０、９２、９４の全て又は一部が、同じ波長（色）の光を出力してもよい。
【００４０】
一対の固定接点９６、９８は、回路基板１４の幅方向（短手方向）に沿って並設されている。換言すれば、固定接点９６はブッシュ６０の前方に位置し、固定接点９８はブッシュ６２の前方に位置している。これにより、各固定接点９６、９８が押圧された際に、回路基板１４が過度に撓むことを防止することができると共にスイッチ接点の良好な開閉ができスイッチの信頼性を確保することができる。
【００４１】
カバー部１６は、例えば、ゴム等の樹脂材料の一体成形品であって、回路基板１４の前面に配設される板状のカバー部本体１００と、カバー部本体１００に設けられて複数の発光素子８６、８８、９０、９２、９４を１つずつ別々に収容する複数（本実施形態では５つ）の収容筒１０２、１０４、１０６、１０８、１１０と、各固定接点９６、９８に対応した位置に配設された一対の接点部（ゴム接点）１１２、１１４とを有している。
【００４２】
カバー部本体１００は、平面視で、矩形の各短辺を外方に突出させると共に、円弧状の一端部に一対の切欠部１１６、１１８を形成した形状をなしている。各切欠部１１６、１１８には、アンテナ部２０を構成する前記アンテナターミナル１９０が挿通可能となっている。
【００４３】
各収容筒１０２、１０４、１０６、１０８、１１０は、四角筒状に構成されており、両端に位置する各収容筒１０２、１１０の高さ寸法がこれら収容筒１０２、１１０の間に位置する各収容筒１０４、１０６、１０８の高さ寸法よりも小さく設定されている。
【００４４】
本実施形態では、カバー部１６に複数の収容筒１０２、１０４、１０６、１０８、１１０を設けているので、各発光素子８６、８８、９０、９２、９４から出力された光がスイッチ装置１０の外部に漏れることを防止することができると共に互いに干渉することを抑えることができる。
【００４５】
図５から諒解されるように、接点部１１２は、円錐台形状に構成されており、薄肉に形成された側壁部１２０と、側壁部１２０の前端に設けられた厚肉の接触部１２２とを有している。接触部１２２の内面には、固定接点９６と接触可能な可動接点１２４が固着されている。
【００４６】
接点部１１４は、接点部１１２と同様に構成されており、側壁部１２１と接触部１２３を有しており、接触部１２３の内面に固定接点９８と接触可能な可動接点１２５が固着されている。本実施形態では、固定接点９６、９８、接点部１１２、１１４、及び可動接点１２４、１２５がスイッチ手段として機能する。
【００４７】
図２、図４及び図５に示すように、保持ケース１８は、樹脂材料の一体成形品であって、ターミナル支持部４２を収容した状態で保持する筒状のケース本体１２６と、ケース本体１２６内に配設されてスライダ２２を摺動自在に支持する筒状のスライダ支持部１２８と、ケース本体１２６の前端部に設けられてアウターケース３６を保持するアウターケース保持部１３０とを有している。
【００４８】
ケース本体１２６は、ターミナル支持部４２に対応した形状を有しており、対向する一対の平板状の壁部１３２、１３４と、壁部１３２と壁部１３４を繋ぐ一対の円弧壁部１３６、１３８とを含む。各壁部１３２、１３４の後端部には、ベース部１２の位置決め用突起６４が挿入される長孔部１４０が形成されている。また、各壁部１３２、１３４の前後方向の略中央には、保持ケース１８（スイッチ装置１０）を図示しないインストルメントパネルに装着するための爪部１４４、１４６が設けられている。
【００４９】
一方の円弧壁部１３６の後端部には、ベース部１２の一対の切欠部４４、４６に対応して一対の孔部１４８、１５０が形成されている。そして、円弧壁部１３６のうち一対の孔部１４８、１５０の間に位置する部位には、ベース部１２の装着爪６８が嵌合する装着孔１５２が形成されている。他方の円弧壁部１３８の後端部には、ベース部１２の各装着爪７０、７２が嵌合する一対の装着孔１５４、１５６が形成されている（図７参照）。
【００５０】
すなわち、ベース部１２の位置決め用突起６４をケース本体１２６の長孔部１４０に挿入し、当該ベース部１２を前方に押し込むことにより、ベース部１２の各装着爪６８、７０、７２をケース本体１２６の各装着孔１５２、１５４、１５６に容易に嵌合することができる。これにより、ベース部１２を保持ケース１８の後端部に対して確実に固定することができる。
【００５１】
なお、本実施形態では、各装着爪６８、７０、７２に替えて装着孔をベース部１２に形成すると共に、各装着孔１５２、１５４、１５６に替えて装着爪をケース本体１２６に設けても構わない。
【００５２】
図４から諒解されるように、スライダ支持部１２８には、その後端部から後方に向けて突出して収容筒１０４、１０６、１０８を収容する第１筒部１５８と、隣接する前記収容筒１０４、１０６、１０８の間に配設された一対の隔壁１６０、１６２と、複数の発光素子８６、８８、９０、９２、９４の並び方向に沿って配設された３つの第２筒部１６４、１６６、１６８と、隣接する第２筒部１６４、１６６、１６８を繋ぐ第１連結部１７０、１７２と、前記第２筒部１６４、１６６、１６８とスライダ支持部１２８とを繋ぐ第２連結部１７４とが設けられている。
【００５３】
第１筒部１５８は、スライダ支持部１２８の後端から後方に向けて突出すると共にカバー部本体１００の前面に当接している。隔壁１６０は、第１連結部１７０から後方に向けて突出すると共にカバー部本体１００の前面に当接し、隔壁１６２は、第１連結部１７２から後方に向けて突出すると共にカバー部本体１００の前面に当接している。
【００５４】
第２筒部１６４は収容筒１０４の前方に位置し、第２筒部１６６は収容筒１０６の前方に位置し、第２筒部１６８は収容筒１０８の前方に位置している。操作ボタン３４を操作していない（押圧していない）状態において、第１連結部１７０、１７２と第２連結部１７４は、スライダ２２に対して離間している。
【００５５】
アウターケース保持部１３０は、ケース本体１２６の前端に設けられたリング部（受け部）１７６と、リング部１７６から前方に向けて立設した円筒部１７８とを有している。円筒部１７８の外径は、リング部１７６の外径よりも若干小さく形成されている。また、円筒部１７８の外周面には、アウターケース３６を保持ケース１８の所定位置に位置決めするための位置決め用突起１８０と、アウターケース３６を保持ケース１８に装着するための一対の装着爪１８２、１８４（図５参照）とが設けられている。
【００５６】
アンテナ部２０は、回路基板１４に電気的に接続されたアンテナターミナル１９０と、アンテナターミナル１９０を支持する支持部１９２と、巻線コイルからなる電波給電用のコイルアンテナ１９４と、コイルアンテナ１９４を支持する円環状のボビン１９６とを有している。
【００５７】
アンテナターミナル１９０は、支持部１９２にインサート成形された状態でコイルアンテナ１９４に電気的に接続している。コイルアンテナ１９４は、携帯機を駆動させるための電波を出力する。ボビン１９６は、保持ケース１８の円筒部１７８の内側に配設された状態でリング部１７６の前面に接触している。
【００５８】
スライダ２２は、その前端部が保持ケース１８よりも前方に突出するようにしてスライダ支持部１２８に設けられており、前後方向に延在したスライダ本体２００と、スライダ本体２００の前端部に結合部２０２を介して設けられた円環状の保持部２０４とを有している。スライダ本体２００の後端は各接点部１１２、１１４に接触している。
【００５９】
スライダ本体２００には、前後方向に延在した３つの配設孔２０６、２０８、２１０が発光素子８６、８８、９０、９２、９４の並び方向に沿って並設されている。配設孔２０６を構成する壁面には、前後方向に延在した係合部２１２が形成され、配設孔２１０を構成する壁面には、前後方向に延在した係合部２１４が形成されている。
【００６０】
図４及び図８から諒解されるように、配設孔２０６と配設孔２０８とを仕切る隔壁２１６は第１連結部１７０の前方に離間して位置しており、配設孔２０８と配設孔２１０とを仕切る隔壁２１８は第１連結部１７２の前方に離間して位置しており、スライダ本体２００は第２連結部１７４の前方に離間して位置している。スライダ本体２００の前端に形成された円環状の鍔部２２０には、第４導光部３０をスライダ２２の所定位置に位置決めするための係合凹部２２２が形成されている。
【００６１】
スライダ本体２００と保持部２０４との間には、所定の隙間が形成されている。また、保持部２０４は、ボビン１９６の前方に離間して位置している（図４参照）。保持部２０４の外周面には、操作ボタン３４をスライダ２２に位置決めするための位置決め用突起２２４と、操作ボタン３４をスライダ２２に装着するための一対の装着爪２２６、２２８（図５参照）とが形成されている。
【００６２】
第１導光部２４は、前後方向に延在したブロック体であって、その全長に渡って係合溝２３０が形成されている。そして、第１導光部２４は、その係合溝２３０に係合部２１２を挿入して配設孔２０６に配設された状態で、発光素子８８から出力された光を操作ボタン３４に導く。
【００６３】
第２導光部２６は、第１導光部２４と同様の構成を有しており、係合溝２３２が形成されている。そして、第２導光部２６は、その係合溝２３２に係合部２１４を挿入して配設孔２１０に配設された状態で、発光素子９２から出力された光を操作ボタン３４に導く。
【００６４】
第３導光部２８は、略直方体状に形成されている。そして、第３導光部２８は配設孔２０８に配設された状態で発光素子９０から出力された光を操作ボタン３４に導く。
【００６５】
第４導光部３０は、環状導光体２３４と、発光素子８６から出力された光を環状導光体２３４に導くための導光体２３６と、発光素子９４から出力された光を環状導光体２３４に導くための導光体２３８とを含む。
【００６６】
環状導光体２３４の内周面には、径方向内側に向かって突出した係合凸部２４０が形成されている。第４導光部３０は、係合凸部２４０を鍔部２２０に形成された係合凹部２２２に挿入した状態でスライダ本体２００と保持部２０４の間の隙間に配設されている。
【００６７】
フィルムには、「ＳＴＡＲＴ」、「ＥＮＧＩＮＥ」、「ＳＴＯＰ」の文字が付されている。操作ボタン３４は、円板状に形成された押圧部２４２と、押圧部２４２の後端部から径方向外側に突出した延出部２４６と、延出部２４６の縁部から後方に延出した環状壁２４８とを有している。環状壁２４８には、スライダ２２の位置決め用突起２２４が挿入される長孔部２５０と、各装着爪２２６、２２８が嵌合する一対の装着孔２５２、２５４（図５参照）が形成されている。
【００６８】
すなわち、操作ボタン３４の長孔部２５０にスライダ２２の位置決め用突起２２４を挿入し、当該操作ボタン３４を後方に押し込むことにより、スライダ２２の各装着爪２２６、２２８を操作ボタン３４の各装着孔２６２、２６４に容易に嵌合することができる。これにより、操作ボタン３４をスライダ２２の前端部に対して確実に固定することができる。
【００６９】
なお、本実施形態では、各装着爪２２６、２２８に替えて装着孔をスライダ２２に形成すると共に、各装着孔２６２、２６４に替えて装着爪を操作ボタン３４に設けても構わない。
【００７０】
また、図４及び図５から諒解されるように、操作ボタン３４の外径（環状壁２４８の外径）は、コイルアンテナ１９４の外径と略同一に設定されている。これにより、スイッチ装置１０の大型化を抑えつつコイルアンテナ１９４から出力される電波の強度を高めることができる。さらに、操作ボタン３４と当該操作ボタン３４の後方に位置するコイルアンテナ１９４とは同軸上に配置されている。そのため、スイッチ装置１０の大型化を効率的に抑えることができる。
【００７１】
アウターケース３６は、円筒状に形成された周壁部２５６と、周壁部２５６の前端に設けられた環状のストッパ爪２５８とを有している。周壁部２５６の後端部には、保持ケース１８の位置決め用突起１８０が挿入される長孔部２６０と、保持ケース１８の各装着爪１８２、１８４が嵌合する一対の装着孔２６２、２６４（図５参照）とが形成されている。
【００７２】
すなわち、アウターケース３６の長孔部２６０に保持ケース１８の位置決め用突起１８０を挿入し、アウターケース３６を後方に押し込むことにより、保持ケース１８の各装着爪１８２、１８４をアウターケース３６の各装着孔２６２、２６４に容易に嵌合することができる。これにより、アウターケース３６を保持ケース１８に対して確実に固定することができる。この状態でストッパ爪２５８は、操作ボタン３４の延出部２４６に接触している。
【００７３】
なお、本実施形態では、各装着爪１８２、１８４に替えて装着孔を保持ケース１８に形成すると共に、各装着孔２６２、２６４に替えて装着爪をアウターケース３６に設けても構わない。
【００７４】
本実施形態に係るスイッチ装置１０は、基本的に以上のように構成されるものであって、次にその動作について説明する。
【００７５】
携帯機と車両との間で通信してＩＤ情報が一致した状態でスイッチ装置１０の操作ボタン３４を押圧すると、スライダ２２が保持ケース１８に対して後方に移動し、スライダ本体２００が各接点部１１２、１１４を押圧する。
【００７６】
そうすると、接点部１１２の側壁部１２０が弾性変形すると共に接触部１２２が後方に変位して可動接点１２４が固定接点９６に接触し、接点部１１４の側壁部１２１が弾性変形すると共に接触部１２３が後方に変位して可動接点１２５が固定接点９８に接触する。これにより、スイッチ装置１０の回路基板１４から車両の制御部（ＥＣＵ）に信号が出力され、エンジンが始動可能な状態となる。
【００７７】
このとき、スライダ本体２００の隔壁２１６が保持ケース１８の第１連結部１７０に、スライダ本体２００の隔壁２１８が保持ケース１８の第１連結部１７２に、スライダ本体２００の外部壁が保持ケース１８の第２連結部１７４にそれぞれ接触する。これにより、操作ボタン３４の押圧力が比較的大きい場合であっても、各接点部１１２、１１４に過剰な力が作用することを防止することができるので、回路基板１４が破損することを抑えることができる。
【００７８】
エンジンが始動可能な状態になると、複数の発光素子８６、８８、９０、９２、９４の全て又は一部が発光する。ただし、本実施形態では、これら発光素子８６、８８、９０、９２、９４は、エンジンが始動可能でない状態において発光するようにしても構わない。
【００７９】
発光素子８８から出力された光は第１導光部２４を通りフィルム３２の「ＳＴＯＰ」の文字を照明し、発光素子９０から出力された光は第３導光部２８を通りフィルム３２の「ＥＮＧＩＮＥ」の文字を照明し、発光素子９２から出力された光は第２導光部２６を通りフィルム３２の「ＳＴＡＲＴ」の文字を照明する。また、発光素子８６から出力された光は導光体２３６を通り環状導光体２３４に導かれ、発光素子９４から出力された光は導光体２３８を通り環状導光体２３４に導かれる。そして、環状導光体２３４に導かれた光が操作ボタン３４をリング状に照明する。これによって、操作ボタン３４の意匠性及び視認性を向上することができる。
【００８０】
その後、操作ボタン３４に対する押圧が解除されると、接点部１１２の側壁部１２０と接点部１１４の側壁部１２１が元の形状に復帰するため、可動接点１２４が固定接点９６から離間すると共に可動接点１２５が固定接点９８から離間する。また、各接点部１１２、１１４の弾性力によってスライダ２２が保持ケース１８に対して前方に移動し、操作ボタン３４の延出部２４６がアウターケース３６のストッパ爪２５８に接触する。
【００８１】
また、携帯機の電池消耗によって車両との間でＩＤ情報の照合が正常に行われなくなった場合には、操作ボタン３４の前方（近傍）に携帯機をかざすことによって、コイルアンテナ１９４から出力される電波によって携帯機のトランスポンダに誘導起電力を発生させて当該携帯機を無線給電することができる。
【００８２】
以上説明したように、本実施形態に係るスイッチ装置１０によれば、操作ボタン３４の後方に当該操作ボタン３４の外径と略同一の外径を有したコイルアンテナ１９４を配設しているので、装置自体の大型化を抑えつつコイルアンテナ１９４から出力される電波の強度を高めることができる。また、操作ボタン３４の外径とコイルアンテナ１９４の外径を略同一にすると、スイッチ装置１０を寸胴に形成することが容易となり、これによって、各種部品のレイアウトの自由度が向上する。さらに、操作ボタン３４とコイルアンテナ１９４とを同軸上に配置しているので、スイッチ装置１０の大型化を効率的に抑えることができる。
【００８３】
本実施形態の場合、前端部に操作ボタン３４が設けられると共に各接点部１１２、１１４（スイッチ手段）を操作可能な状態でスライダ支持部１２８内に前後方向に沿って摺動可能に配設されたスライダ２２を備えているので、操作ボタン３４の押圧操作によるスライダ２２の後方への移動によって各接点部１１２、１１４を確実に操作することができる。
【００８４】
また、回路基板１４の前面（実装面）に弾性変形可能な一対の接点部１１２、１１４を設けているので、操作ボタン３４の押圧操作によるスライダ２２の後方への移動によって各接点部１１２、１１４を弾性変形させて各可動接点１２４、１２５を各固定接点９６、９８に接触させることができる。そして、操作ボタン３４の押圧を解除した際には、各接点部１１２、１１４が元の形状に復帰すると共に各接点部１１２、１１４の弾性力によってスライダ２２及び操作ボタン３４を保持ケース１８に対して前方に移動させることができる。これにより、各接点部１１２、１１４とは別にスライダ２２を前方に付勢する付勢手段を設ける必要がないため、スイッチ装置１０の部品点数を削減することができる。
【００８５】
本実施形態の場合、操作ボタン３４の押圧操作によってスライダ２２が後方に移動すると、スライダ本体２００の隔壁２１６が保持ケース１８の第１連結部１７０に、スライダ本体２００の隔壁２１８が保持ケース１８の第１連結部１７２に、スライダ本体２００の外部壁が保持ケース１８の第２連結部１７４にそれぞれ接触する。すなわち、第１連結部１７０、１７２及び第２連結部１７４がスライダ２２の後方への移動を制限する移動制限部として機能するため、操作ボタン３４の押圧力が比較的大きい場合であっても、各接点部１１２、１１４に過剰な力が作用することを防止することができる。よって、回路基板１４が破損することを抑えることができる。
【００８６】
本実施形態の場合、回路基板１４の前面に複数の発光素子８６、８８、９０、９２、９４を設けているので、操作ボタン３４の意匠性及び視認性を向上することができる。また、回路基板１４がその実装面が前方を指向するように配設されているので、このような複数の発光素子８６、８８、９０、９２、９４を容易に配置することができる。
【００８７】
また、各発光素子８６、８８、９０、９２、９４から出力された光を操作ボタン３４に導く第１〜第４導光部２４、２６、２８、３０を設けているので、操作ボタン３４の意匠性及び視認性を一層向上することができる。さらに、これら第１〜第４導光部２４、２６、２８、３０をスライダ２２に設けているので、操作ボタン３４及びスライダ２２が前後方向に沿って保持ケース１８に対して移動する際に第１〜第４導光部２４、２６、２８、３０と干渉することを防止することができる。
【００８８】
次に、本実施形態の変形例に係るスイッチ装置１０ａについて説明する。図９に示すように、スイッチ装置１０ａは、アンテナ部２０ａの構成及び配置が上述したスイッチ装置１０のアンテナ部２０の構成及び配置と異なる。すなわち、アンテナ部２０ａは、巻線コイルからなる電波給電用のコイルアンテナ１９４と、コイルアンテナ１９４を支持する円環状のボビン１９６とを有している。
【００８９】
アンテナ部２０ａは、ボビン１９６が回路基板１４の前面に位置するように配設されており、アンテナターミナル１９０（図９には図示されていない）によってコイルアンテナ１９４と回路基板１４とが電気的に接続されている。すなわち、スイッチ装置１０ａでは、スイッチ装置１０と比較して、コイルアンテナ１９４と回路基板１４との間の距離を短くすることができる。そのため、本変形例に係るアンテナ部２０ａには、アンテナターミナル１９０を支持する支持部１９２が設けられていない。
【００９０】
本変形例によれば、ボビン１９６を回路基板１４の前面に配設しているので、コイルアンテナ１９４と回路基板１４との間の距離を比較的短くすることができる。これにより、アンテナ部２０ａの構成を簡素化することができる（支持部１９２を省略することができる）と共に当該アンテナ部２０ａの組み付けが容易となる。
【００９１】
上記において、本発明について好適な実施形態を挙げて説明したが、本発明は前記実施形態に限定されるものではなく、本発明の要旨を逸脱しない範囲において、種々の改変が可能なことは言うまでもない。
【符号の説明】
【００９２】
１０、１０ａ…スイッチ装置          １２…ベース部
１４…回路基板                      １６…カバー部
１８…保持ケース（ケース）          ２０、２０ａ…アンテナ部
２２…スライダ                      ２４…第１導光部
２６…第２導光部                    ２８…第３導光部
３０…第４導光部                    ３２…フィルム
３４…操作ボタン                    ３６…アウターケース
８６、８８、９０、９２、９４…発光素子
９６、９８…固定接点                １１２、１１４…接点部
１２４、１２５…可動接点            １７０、１７２…第１連結部
１７４…第２連結部                  １７６…リング部（受け部）
１９４…コイルアンテナ              １９６…ボビン
【図１】
2014154469.tif 000003
【図２】
2014154469.tif 000004
【図３】
2014154469.tif 000005
【図４】
2014154469.tif 000006
【図５】
2014154469.tif 000007
【図６】
2014154469.tif 000008
【図７】
2014154469.tif 000009
【図８】
2014154469.tif 000010
【図９】
2014154469.tif 000011